【事件の表示】
　特許第２６４０４３４号「屋根の外設材の取付構造及び取付方法」の請求項１ないし３に係る特許に対する特許異議の申立てについて、次のとおり決定する。
【結　論】
　訂正を認める。
　特許第２６４０４３４号の請求項１に係る特許を維持する。
【理　由】
〔１〕手続の経緯
　特許第２６４０４３４号発明は、平成６年１１月１６日に特許出願され、平成９年５月２日に特許権の設定登録がなされた後、佐藤正より特許異議の申立てがなされ、その後、取消理由通知がなされ、その指定期間内に平成１０年８月２４日付けで訂正請求がなされ、さらに訂正拒絶理由通知がなされ、その指定期間内の平成１１年１１月８日に訂正請求に対する手続補正がなされたものである。
　
〔２〕訂正請求及び訂正請求に対する補正について
１.訂正請求に対する補正について
（１）補正の内容
　イ．訂正明細書の発明の名称を、「屋根の外設材の取付構造」と補正する。
  ロ．訂正明細書の特許請求の範囲の請求項１及び３を削除する。
　ハ．訂正明細書の特許請求の範囲の請求項２を、「【請求項１】屋根下地上に重合式の屋根材を敷設した既設屋根に外設材を取り付ける外設材の取付構造であって、前記外設材の固定部が配される上側屋根材の裏面側に、シール性を有し、かつ、上側屋根材と下側屋根材との重合長さに相当する長さ若しくは重合長さよりも長い流れ方向長さの板状部材を挿入すると共に、前記固定部、上側屋根材、板状部材及び下側屋根材を貫通する固着具を介して外設材を屋根下地に固定し、後端が水上側の上段屋根材の裏面に位置し、かつ、前記上側屋根材の上面に着座するフランジ部と、前記固定部を覆う被覆部と、前記上側屋根材の軒側端部の裏面側に回り込むように折曲形成された挿入緑部からなるカバー部材で、外設材の固定部を覆うことを特徴とする屋根の外設材の取付構造。」と補正する。
　ニ．訂正明細書の段落【０００１】を、「【産業上の利用分野】この発明は、重合式の既設屋根上に雪止め金具等の外設材を取付けるための構造に関するものである。」と補正する。
　ホ．訂正明細書の段落【０００７】を、「本発明はこのような従来の問題点に着目してなされたもので、重合式の既設屋根に容易に適用することができ、かつ雨仕舞い性能に優れた外設材の取付構造を提供することを目的としている。」と補正する。
　ヘ．訂正明細書の段落【０００８】を、「【課題を解決するための手段】前記した目的を達成するために、請求項１の発明は、屋根下地上に重合式の屋根材を敷設した既設屋根に外設材を取り付ける外設材の取付構造であって、前記外設材の固定部が配される上側屋根材の裏面側に、シール性を有し、かつ、上側屋根材と下側屋根材との重合長さに相当する長さ若しくは重合長さよりも長い流れ方向長さの板状部材を挿入すると共に、前記固定部、上側屋根材、板状部材及び下側屋根材を貫通する固着具を介して外設材を屋根下地に固定するものとした。」と補正する。
　ト．訂正明細書の段落【０００９】を、「さらに、後端が水上側の上段屋根材の裏面に位置し、かつ、前記上側屋根材の上面に着座するフランジ部と、前記固定部を覆う被覆部と、前記上側屋根材の軒側端部の裏面側に回り込むように折曲形成された挿入縁部からなるカバー部材で、外設材の固定部を覆うものとした。」と補正する。
　チ．訂正明細書の段落【００１０】を、「【作用】上記請求項１の外設材の取付構造によれば、外設材の取付部の屋根材裏面に、シール性を有し、かつ、上側屋根材と下側屋根材との重合長さに相当する長さ若しくは重合長さよりも長い流れ方向長さの板状部材を配したことで、上側の屋根材の貫通孔と下側の屋根材の貫通孔がこれら上下屋根材間で同時に塞がれ、したがって各貫通孔からの室内側への雨水の侵入が確実に防止される。」と補正する。
　リ．訂正明細書の段落【００１１】を、「また、外設材を固定するにあたっての予備的作業としては、屋根材の裏面に板状部材を挿入するだけであり、既設の屋根を特殊工具を使用して剥がす等の面倒な作業は不要である。」と補正する。
　ヌ．訂正明細書の段落【００１２】を、「すなわち簡単な作業で外設材の固定ができる。」と補正する。
　ル．訂正明細書の段落【００１３】を、「また、外設材の固定部を覆うカバー部材により当該固定部及び上側屋根材の貫通孔部分での雨仕舞い性が向上するので、総合的により高い防水性が発揮される。」と補正する。
　オ．訂正明細書の段落【００２８】を、「　【発明の効果】以上説明したとおり、請求項１の外設材の取付構造の発明によれば、外設材の取付部となる屋根材の裏面に、シール性を有し、かつ、上側屋根材と下側屋根材との重合長さに相当する長さ若しくは重合長さよりも長い流れ方向長さの板状部材を配して当該屋根材の貫通孔とその下側の屋根材の貫通孔をこれら上下屋根材間で同時に塞うようにしたので、各貫通孔からの室内側への雨水の侵入を確実に防止して優れた防水性を持たせることができる。」と補正する。
　ワ．訂正明細書の段落【００３０】を、「また、外設材の固定部をカバー部材により覆うものとしたので、外設材の固定部及びその取付部となる屋根材の貫通孔部分での防水性を高めてより優れた耐水性能を確保することができる。」と補正する。
（２）補正の適否
　特許権者が行った訂正請求に対する補正イ〜ワは、訂正請求書に添付した訂正明細書を基準とし、特許請求の範囲を減縮し、又は明りょうでない記載の釈明を行うものである。
　そして、これらの補正は、訂正請求書に添付した訂正明細書に記載した事項の範囲内の補正であって、しかも、訂正請求書に添付した訂正明細書の特許請求の範囲を実質上拡張し又は変更するものではないから、訂正請求書の要旨を変更するものではなく、特許法１２０条の４第３項において準用する同法１３１条２項の規定に適合するので、これらの補正を採用する。
２．訂正請求について
（１）訂正請求の内容
　前記補正の採用により、特許権者が求めている訂正の内容は、以下のとおりである。
　訂正事項ａ
　明細書の発明の名称を、「屋根の外設材の取付構造」と訂正する。
　訂正事項ｂ
　明細書の特許請求の範囲の請求項１及び請求項３を削除する。
　訂正事項ｃ
　明細書の特許請求の範囲の請求項２を請求項１とし、「【請求項１】屋根下地上に重合式の屋根材を敷設した既設屋根に外設材を取り付ける外設材の取付構造であって、前記外設材の固定部が配される上側屋根材の裏面側に、シール性を有し、かつ、上側屋根材と下側屋根材との重合長さに相当する長さ若しくは重合長さよりも長い流れ方向長さの板状部材を挿入すると共に、前記固定部、上側屋根材、板状部材及び下側屋根材を貫通する固着具を介して外設材を屋根下地に固定し、後端が水上側の上段屋根材の裏面に位置し、かつ、前記上側屋根材の上面に着座するフランジ部と、前記固定部を覆う被覆部と、前記上側屋根材の軒側端部の裏面側に回り込むように折曲形成された挿入縁部からなるカバー部材で、外設材の固定部を覆うことを特徴とする屋根の外設材の取付構造。」と訂正する。
　訂正事項ｄ
　明細書の段落【０００１】を、「【産業上の利用分野】この発明は、重合式の既設屋根上に雪止め金具等の外設材を取り付けるための構造に関するものである。」と訂正する。
　訂正事項ｅ
　明細書の段落【０００７】を、「本発明はこのような従来の問題点に着目してなされたもので、重合式の既設屋根に容易に適用することができ、かつ雨仕舞い性能に優れた外設材の取付構造を提供することを目的としている。」と訂正する。
　訂正事項ｆ
　明細書の段落【０００８】を、「【課題を解決するための手段】前記した目的を達成するために、請求項１の発明は、屋根下地上に重合式の屋根材を敷設した既設屋根に外設材を取り付ける外設材の取付構造であって、前記外設材の固定部が配される上側屋根材の裏面側に、シール性を有し、かつ、上側屋根材と下側屋根材との重合長さに相当する長さ若しくは重合長さよりも長い流れ方向長さの板状部材を挿入すると共に、前記固定部、上側屋根材、板状部材及び下側屋根材を貫通する固着具を介して外設材を屋根下地に固定するものとした。」と訂正する。
　訂正事項ｇ
　明細書の段落【０００９】を、「さらに、後端が水上側の上段屋根材の裏面に位置し、かつ、前記上側屋根材の上面に着座するフランジ部と、前記固定部を覆う被覆部と、前記上側屋根材の軒側端部の裏面側に回り込むように折曲形成された挿入縁部からなるカバー部材で、外設材の固定部を覆うものとした。」と訂正する。
　訂正事項ｈ
　明細書の段落【００１０】を、「【作用】上記請求項１の外設材の取付構造によれば、外設材の取付部の屋根材裏面に、シール性を有し、かつ、上側屋根材と下側屋根材との重合長さに相当する長さ若しくは重合長さよりも長い流れ方向長さの板状部材を配したことで、上側の屋根材の貫通孔と下側の屋根材の貫通孔がこれら上下屋根材間で同時に塞がれ、したがって各貫通孔からの室内側への雨水の侵入が確実に防止される。」と訂正する。
　訂正事項ｉ
　明細書の段落【００１１】を、「また、外設材を固定するにあたっての予備的作業としては、屋根材の裏面に板状部材を挿入するだけであり、既設の屋根を特殊工具を便用して剥がす等の面倒な作業は不要である。」と訂正する。
　訂正事項ｊ
　明細書の段落【００１２】を、「すなわち簡単な作業で外設材の固定ができる。」と訂正する。
　訂正事項ｋ
　明細書の段落【００１３】を、「また、外設材の固定部を覆うカバー部材により当該固定部及び上側屋根材の貫通孔部分での雨仕舞い性が向上するので、総合的により高い防水性が発揮される。」と訂正する。
　訂正事項ｌ
　明細書の段落【００２８】を、「【発明の効果】以上説明したとおり、請求項１の外設材の取付構造の発明によれば、外設材の取付部となる屋根材の裏面に、シール性を有し、かつ、上側屋根材と下側屋根材との重合長さに相当する長さ若しくは重合長さよりも長い流れ方向長さの板状部材を配して当該屋根材の貫通孔とその下側の屋根材の貫通孔をこれら上下屋根材間で同時に塞うようにしたので、各貫通孔からの室内側への雨水の侵入を確実に防止して優れた防水性を持たせることができる。」と訂正する。
　訂正事項ｍ
　明細書の段落【００３０】を、「また、外設材の固定部をカバー部材により覆うものとしたので、外設材の固定部及びその取付部となる屋根材の貫通孔部分での防水性を高めてより優れた耐水性能を確保することができる。」と訂正する。
　
（２）訂正の適否
（２−１）訂正の目的の適否、新規事項の有無、及び拡張・変更の存否について
　訂正事項ｂの訂正は、特許請求の範囲の減縮を目的とするものである。また訂正事項ｃの訂正は、特許請求の範囲の請求項１の削除に伴い、請求項２で引用していた請求項１の構成を具体的に表現するとともに、「シール性を有する板状部材」を、「シール性を有し、かつ、上側屋根材と下側屋根材との重合長さに相当する長さ若しくは重合長さよりも長い流れ方向長さの板状部材」として板状部材の構成を限定し、「外設材の固定部を、水上側が上段の屋根材の裏面に位置するカバー部材で覆った」を、「後端が水上側の上段屋根材の裏面に位置し、かつ、前記上側屋根材の上面に着座するフランジ部と、前記固定部を覆う被覆部と、前記上側屋根材の軒側端部の裏面側に回り込むように折曲形成された挿入縁部からなるカバー部材で、外設材の固定部を覆う」としてカバー部材の構成を限定するものであり、特許請求の範囲の減縮を目的とするものである。　さらに、訂正事項ａ、ｄ〜ｍの訂正は、特許請求の範囲の訂正に伴い、特許請求の範囲の記載と発明の詳細な説明の記載との整合を図るために行う訂正であり、明りょうでない記載の釈明を目的とするものである。
　そして、これらの訂正は、明細書の段落【００１９】、【００２１】〜【００２３】、図２及び図３の記載に基づくものであって、願書に添付した明細書又は図面に記載された事項の範囲内のものであり、しかも実質上特許請求の範囲を拡張し、又は変更するものではない。
（２−２）独立特許要件について
　イ．訂正明細書の請求項１に係る発明
　訂正明細書の請求項１に係る発明は、補正された訂正明細書の特許請求の範囲の請求項１に記載された次のとおりのものである。
「【請求項１】屋根下地上に重合式の屋根材を敷設した既設屋根に外設材を取り付ける外設材の取付構造であって、前記外設材の固定部が配される上側屋根材の裏面側に、シール性を有し、かつ、上側屋根材と下側屋根材との重合長さに相当する長さ若しくは重合長さよりも長い流れ方向長さの板状部材を挿入すると共に、前記固定部、上側屋根材、板状部材及び下側屋根材を貫通する固着具を介して外設材を屋根下地に固定し、後端が水上側の上段屋根材の裏面に位置し、かつ、前記上側屋根材の上面に着座するフランジ部と、前記固定部を覆う被覆部と、前記上側屋根材の軒側端部の裏面側に回り込むように折曲形成された挿入縁部からなるカバー部材で、外設材の固定部を覆うことを特徴とする屋根の外設材の取付構造。」
　ロ．刊行物の記載事項
　当審で通知した訂正拒絶理由で引用した刊行物１（実願平２−７０６１０号（実開平４−２８５４３号）のマイクロフィルム、異議申立人が提出した甲第３号証）、刊行物２（特公昭６２−６０５５２号公報、同甲第１号証）及び刊行物３（実願平２−９６７０９号（実開平４−５３９１７号）のマイクロフィルム、同甲第４号証）に記載されている事項は、以下の通りである。
　刊行物１には、
「平板瓦葺屋根に雪止め具を付設するやり方は第２図と第３図に示されている。即ち、第２図では、平板瓦１で葺かれた屋根に雪止め具２を付設するのに平板瓦１の軒先とは反対側の後端位置で野地５にビス３等で固定し、そその雪止め部４を上方に重なる平板瓦１（点線で示す）との重なり部分の隙間を通して平板瓦１の働き面まで長く伸ばしている。第３図では、雪止め具２は平板瓦１の働き面を通じてビス３等により野地５に固定されている。なお、４は雪止め部、６は防水シートをそれぞれ示す。」（明細書１頁１３行〜２頁３行）、
「また、上述の第３図に示す従来例では、平板瓦１の働き面にビス等を通す穴が開けられるので、防水シート６を使用している」（同２頁１３〜１５行）の記載があり、これらの記載及び第３図の記載からみて、次の発明が把握できる。
「野地５上に重合式の平板瓦１で葺かれた屋根に雪止め具２を取り付ける雪止め具の取付構造であって、雪止め具のビス取り付け部が配される上側平板瓦の裏面側に防水シート６を挿入すると共に、ビス取り付け部、上側平板瓦、防水シート及び下側平板瓦を貫通するビスを介して雪止め具２を野地５に固定した屋根の雪止め具の取付構造」
　刊行物２には、断面エ字状の架台４を、屋根材１に弾性材よりなる防水シート９を介して載置し、架台４を野地板１０に釘着した、屋根への架台の取り付け構造、が記載されていると認められる。
　刊行物３には、瓦板材７を貫通して屋根パネル３の基材１に打ち込んだ釘８を、水上側が外装材４ｂ裏面に挿入して固定された雨押さえ９で覆い、釘を伝って雨水が侵入するのを回避すること、が記載されていると認められる。
　ハ．対比・判断
　訂正明細書の請求項１に係る発明と刊行物１に記載された発明とを対比すると、刊行物１に記載された発明の「野地」、「平板瓦」、「葺かれた」、「雪止め具」、「ビス取り付け部」及び「ビス」は、訂正明細書の請求項１に係る発明の「屋根下地」、「屋根材」、「敷設した」、「外設材」、「固定部」及び「固着具」に相当するから、両者は次の点で相違し、その余の点で一致している。
　相違点１
　訂正明細書の請求項１に係る発明は、既設屋根であるのに対し、刊行物１に記載された発明は、屋根である点。
　相違点２　
　外設材の固定部が配される上側屋根材の裏面側に挿入する部材が、訂正明細書の請求項１に係る発明では、シール性を有する板状部材であるのに対し、刊行物１に記載された発明では、防水シートである点。
　相違点３
　外設材の固定部が配される上側屋根材の裏面側に挿入する部材が、訂正明細書の請求項１に係る発明では、上側屋根材と下側屋根材との重合長さに相当する長さ若しくは重合長さよりも長い流れ方向長さを有するのに対し、刊行物１に記載された発明では、流れ方向長さが明らかではない点。
　相違点４
　訂正明細書の請求項１に係る発明は、後端が水上側の上段屋根材の裏面に位置し、かつ、前記上側屋根材の上面に着座するフランジ部と、前記固定部を覆う被覆部と、前記上側屋根材の軒側端部の裏面側に回り込むように折曲形成された挿入縁部からなるカバー部材で、外設材の固定部を覆うのに対し、刊行物１に記載された発明は、そのような構成を備えていない点。
　上記相違点について検討する。
　相違点１について検討すると、刊行物１に記載された発明の屋根は、瓦で葺かれており、その上に外設材の固定部が配されるものであるから、訂正明細書の請求項１に係る発明の「既設屋根」と実質的な相違は認められない。
　相違点２について検討すると、訂正明細書の請求項１に係る発明の「板状部材」について明細書に、「例えばブチルゴム、ゴム化アスファルト等のシール性を有する材質から形成されている。」（本件特許公報４欄４２行〜４３行参照。）と記載されており、刊行物２に記載された発明の「弾性材よりなる防水シート」は、訂正明細書の請求項１に係る発明の「シール性を有する板状部材」に相当すると認められ、刊行物１に記載された発明において、防水シートに代えて、刊行物２に記載された、弾性材よりなる防水シートを用いることは、当業者が容易になし得たことである。
　相違点３について検討すると、外設材の固定部が配される上側屋根材の裏面側に挿入する部材の流れ方向長さをどの程度にするかは、外設材の固定部を配する位置を考慮して当業者が適宜決め得る設計的事項と認められる。
　相違点４について検討すると、刊行物２には訂正明細書の請求項１に係る発明の「カバー部材」に相当するものは、記載されておらず、刊行物３には、水上側が外装材の裏面に位置する雨押さえ（訂正明細書の請求項１に係る発明の「カバー部材」に相当する。）で瓦板材に打ち込んだ釘を覆い雨水の侵入を防ぐこと、は記載されているが、訂正明細書の請求項１に係る発明の「後端が水上側の上段屋根材の裏面に位置し、かつ、前記上側屋根材の上面に着座するフランジ部と、前記固定部を覆う被覆部と、前記上側屋根材の軒側端部の裏面側に回り込むように折曲形成された挿入縁部からなるカバー部材」については記載されておらず、示唆する記載もない。
　そして、訂正明細書の請求項１に係る発明は、この構成を備えることにより、「カバー部材を取り付け部となる上側屋根板に確実に、（ビス等の固定具も必要とせず）簡単にとりつけることができ」（平成１１年１１月８日付け意見書３頁）という格別の効果を奏するものと認められる。
　したがって、訂正明細書の請求項１に係る発明は、刊行物１〜３に記載された発明に基いて当業者が容易に発明をすることができたものとすることはできない。
　よって、訂正明細書の請求項１に係る発明は、特許出願の際独立して特許を受けることができるものである。
（２−３）まとめ
　以上のとおりであるから、訂正事項ａ〜ｍの訂正は、特許法等の一部を改正する法律（平成６年法律１１６号）附則６条１項の規定によりなお従前の例によるとされる、特許法１２０条の４第２項ただし書１号又は３号に掲げる事項を目的とし、同条３項で準用する同法１２６条２〜４項の規定に適合するので、本件訂正請求を認める。
　
〔３〕特許異議の申立てについて
１.異議申立人の主張の概要
　特許異議申立人は、甲第１〜第４号証を提出して、請求項１に係る発明は、甲第３号証に記載された発明であるか、甲第１及び第２号証に記載された発明に基いて当業者が容易に発明をすることができたものであり、特許法２９条１項又は２項の規定により特許を受けることができない、請求項２に係る発明は、甲第１、第２及び第４号証に記載された発明に基いて、又は甲第３及び第４号証に記載された発明に基いて、当業者が容易に発明をすることができたものであるから、特許法２９条２項の規定により特許を受けることができない、請求項３に係る発明は、甲第３号証に記載された発明であるか、甲第３号証に記載された発明又は、甲第１及び第２号証に記載された発明に基いて当業者が容易に発明をすることができたものであるから、特許法２９条１項又は２項の規定により特許を受けることができないので、それらの発明の特許は取り消されるべきである旨主張している。
　
２．本件請求項１に係る発明
　本件請求項１に係る発明は、補正された訂正明細書の特許請求の範囲の請求項１に記載されたとおりのものと認める。（上記〔２〕２．（２−２）イ．参照。）
　なお、上記訂正により訂正前の請求項１及び３は削除され、訂正前の請求項２が請求項１に繰り上がった。
３.特許異議の申立ての理由についての判断
　甲第１号証（上記刊行物２）、甲第３号証（上記刊行物１）及び甲第４号証（上記刊行物３）に記載された事項は、上記〔２〕２．（２−２）ロ．に記載したとおりである。
　また、甲第２号証には、太陽電池付屋根ユニットについて記載があり、太陽電池付屋根ユニット１６の上端部の上面へ別の太陽電池付屋根ユニット１６の下端部を、導電性ゴム３０を介して重ね合わせ、ビス３６により太陽電池付屋根ユニット１６を野地板１０に固着して、雨水の浸入を防止すること、が記載されている。
　本件請求項１に係る発明と甲第３号証（刊行物１）に記載された発明との相違点、及び相違点１〜４の検討は、上記〔２〕２．（２−２）ハ．で述べたとおりである。そして、甲第２号証にも相違点４における本件請求項１に係る発明の構成は、記載されていないし、示唆もされていない。
　したがって、上記〔２〕２．（２−２）ハ．で述べたのと同様に、本件請求項１に係る発明は、甲第１〜第４号証に記載された発明に基いて当業者が容易に発明をすることができたものとすることはできない。
　
４．むすび
　以上のとおりであるから、異議申立人の主張する理由及び提出した証拠方法によっては、本件請求項１に係る発明の特許を取り消すことはできない。
  また、他に本件請求項１に係る発明の特許を取り消すべき理由を発見しない。
　よって、結論のとおり決定する。
【異議決定日】
平成１２年３月２日（２０００．３．２）
【訂正の要旨】
訂正の要旨
〔訂正の要旨〕
　特許第２６４０４３４号の明細書を特許請求の範囲の減縮を目的として下記（ｂ）、（ｃ）のとおり、明瞭でない記載の釈明を目的として下記（ａ）、（ｄ）〜（ｍ）のとおり訂正する。
（ａ）　明細書の発明の名称を、「屋根の外設材の取付構造」と訂正する。
（ｂ）　明細書の特許請求の範囲の請求項１及び請求項３を削除する。
（ｃ）　明細書の特許請求の範囲の請求項２を請求項１とし、「【請求項】屋根下地上に重合式の屋根材を敷設した既設屋根に外設材を取り付ける外設材の取付構造であって、前記外設材の固定部が配される上側屋根材の裏面側に、シール性を有し、かつ、上側屋根材と下側屋根材との重合長さに相当する長さ若しくは重合長さよりも長い流れ方向長さの板状部材を挿入すると共に、前記固定部、上側屋根材、板状部材及び下側屋根材を貫通する固着具を介して外設材を屋根下地に固定し、後端が水上側の上段屋根材の裏面に位置し、かつ、前記上側屋根材の上面に着座するフランジ部と、前記固定部を覆う被覆部と、前記上側屋根材の軒側端部の裏面側に回り込むように折曲形成された挿入縁部からなるカバー部材で、外設材の固定部を覆うことを特徴とする屋根の外設材の取付構造。」
（ｄ）　明細書の段落【０００１】を、「【産業上の利用分野】この発明は、重合式の既設屋根上に雪止め金具等の外設材を取り付けるための構造に関するものである。」
（ｅ）　明細書の段落【０００７】を、「本発明はこのような従来の問題点に着目してなされたもので、重合式の既設屋根に容易に適用することができ、かつ雨仕舞い性能に優れた外設材の取付構造を提供することを目的としている。」
（ｆ）　明細書の段落【０００８】を、「【課題を解決するための手段】前記した目的を達成するために、請求項１の発明は、屋根下地上に重合式の屋根材を敷設した既設屋根に外設材を取り付ける外設材の取付構造であって、前記外設材の固定部が配される上側屋根材の裏面側に、シール性を有し、かつ、上側屋根材と下側屋根材との重合長さに相当する長さ若しくは重合長さよりも長い流れ方向長さの板状部材を挿入すると共に、前記固定部、上側屋根材、板状部材及び下側屋根材を貫通する固着具を介して外設材を屋根下地に固定するものとした。」と訂正する。
（ｇ）　明細書の段落【０００９】を、「さらに、後端が水上側の上段屋根材の裏面に位置し、かつ、前記上側屋根材の上面に着座するフランジ部と、前記固定部を覆う被覆部と、前記上側屋根材の軒側端部の裏面側に回り込むように折曲形成された挿入縁部からなるカバー部材で、外設材の固定部を覆うものとした。」と訂正する。
（ｈ）　明細書の段落【００１０】を、「【作用】上記請求項１の外設材の取付構造によれば、外設材の取付部の屋根材裏面に、シール性を有し、かつ、上側屋根材と下側屋根材との重合長さに相当する長さ若しくは重合長さよりも長い流れ方向長さの板状部材を配したことで、上側の屋根材の貫通孔と下側の屋根材の貫通孔がこれら上下屋根材間で同時に塞がれ、したがって各貫通孔からの室内側への雨水の侵入が確実に防止される。」と訂正する。
（ｉ）　明細書の段落【００１１】を、「また、外設材を固定するにあたっての予備的作業としては、屋根材の裏面に板状部材を挿入するだけであり、既設の屋根を特殊工具を便用して剥がす等の面倒な作業は不要である。」と訂正する。
（ｊ）　明細書の段落【００１２】を、「すなわち簡単な作業で外設材の固定ができる。」と訂正する。
（ｋ）　明細書の段落【００１３】を、「また、外設材の固定部を覆うカバー部材により当該固定部及び上側屋根材の貫通孔部分での雨仕舞い性が向上するので、総合的により高い防水性が発揮される。」と訂正する。
（ｌ）　明細書の段落【００２８】を、「【発明の効果】以上説明したとおり、請求項１の外設材の取付構造の発明によれば、外設材の取付部となる屋根材の裏面に、シール性を有し、かつ、上側屋根材と下側屋根材との重合長さに相当する長さ若しくは重合長さよりも長い流れ方向長さの板状部材を配して当該屋根材の貫通孔とその下側の屋根材の貫通孔をこれら上下屋根材間で同時に塞うようにしたので、各貫通孔からの室内側への雨水の侵入を確実に防止して優れた防水性を持たせることができる。」と訂正する。
（ｍ）　明細書の段落【００３０】を、「また、外設材の固定部をカバー部材により覆うものとしたので、外設材の固定部及びその取付部となる屋根材の貫通孔部分での防水性を高めてより優れた耐水性能を確保することができる。」と訂正する。
（５４）【発明の名称】
屋根の外設材の取付構
造
（５７）【特許請求の範囲】
　【請求項１】
　屋根下地上に重合式の屋根材を敷設した既設屋根に外設材を取り付ける外設材の取付構造であって、
　前記外設材の固定部が配される上側屋根材の裏面側
に、シ
、かつ、上側屋根材と下側屋根材との重合長さに相当する長さ若しくは重合長さよりも長い流れ方向長さの
し、
　
後端が水上側の上段屋根材の裏面に位置し、かつ、前記上側屋根材の上面に着座するフランジ部と、前記固定部を覆う被覆部と、前記上側屋根材の軒側端部の裏面側に回り込むように折曲形成された挿入縁部からなるカバー部材で、外設材の固定部を覆うこと
【発明の詳細な説明】
　　　【０００１】
　　【産業上の利用分野】
　この発明は、重合式の既設屋根上に雪止め金具等の外設材を取り付けるための構
造に
　　　【０００２】
　　【従来の技術とその解決すべき課題】
　既設の屋根上に雪止め金具を取り付けたり、太陽熱温水器あるいは太陽電池等を設置するための支持金具を取り付けたりしようとする場合、こうした金具類（以下これを「外設材」という。）の固定部をしっかりと屋根上に固定するためには既設屋根の部分的な加工が必要となる場合がある。
　　　【０００３】
　例えば、従来、コロニアル等の重合式の既設屋根上に外設材を取り付けようとする場合、屋根の一部分を剥がして外設材の固定部を屋根の下地上に直接固定する方法がとられている。
　　　【０００４】
　しかしながら、この方法は、上下に重合する屋根材間にタガネ様の特殊工具を挿入して、下側の屋根材を固定している釘を手探りで抜き取らねばならないなど手間がかかり、面倒で熟練を要するという欠点がある。
　　　【０００５】
　一方、既設の金属製の屋根に雪止め金具を取り付ける構造として、実開平４−３９２２６号により提案されているようなものがある。これは、図４に示したように、雪止め金具１の固定部２を屋根材３上に粘着テープ４を介して仮止めしたうえでこれら固定部２、粘着テープ４、屋根材３を貫通してネジ５により野地材６上に固定し、さらに固定部２の上にカバー７をビス止めしている。
　　　【０００６】
　しかしながら、この方法をコロニアル等の重合式の屋根に用いたとすると、ネジ５が上下屋根材の重合部分を貫通することになり、この場合、上側に位置する屋根材の貫通孔は粘着テープ４で止水可能であるものの、下側に位置する屋根材の貫通孔についてはシールが行われないので、上側の屋根材との間に吹き付けた雨水が下側の屋根材の表面に沿って貫通孔から室内側に侵入してしまうという問題が生じる。
　　　【０００７】
　本発明はこのような従来の問題点に着目してなされたもので、重合式の既設屋根に容易に適用することができ、かつ雨仕舞い性能に優れた外設材の取付構
造を
　　　【０００８】
　　【課題を解決するための手段】
　前記した目的を達成するために、請求項１の発明は、屋根下地上に重合式の屋根材を敷設した既設屋根に外設材を取り付ける外設材の取付構造であって、前記外設材の固定部が配される上側屋根材の裏面側
に、シ
、かつ、上側屋根材と下側屋根材との重合長さに相当する長さ若しくは重合長さよりも長い流れ方向長さの
　　　【０００９】
　
さらに、後端が水上側の上段屋根材の裏面に位置し、かつ、前記上側屋根材の上面に着座するフランジ部と、前記固定部を覆う被覆部と、前記上側屋根材の軒側端部の裏面側に回り込むように折曲形成された挿入縁部からなるカバー部材で、外設材の固定部を
　　　【００１０】
　　
【作用】
　上記請求項１の外設材の取付構造によれば、外設材の取付部の屋根材裏面に、シール性を有し、かつ、上側屋根材と下側屋根材との重合長さに相当する長さ若しくは重合長さよりも長い流れ方向長さの板状部材を配したことで、上側の屋根材の貫通孔と下側の屋根材の貫通孔がこれら上下屋根材間で同時に塞がれ、したがって各貫通孔からの室内側への雨水の侵入が確実に防止される。
　　　【００１１】
　
また、外設材を固定するにあたっての予備的作業としては、屋根材の裏面に板状部材を挿入するだけであり、既設の屋根を特殊工具を使用して剥がす等の面倒な作業は不要である。
　　　【００１２】
　
すなわち簡単な作業で外設材の固定ができる。
　　　【００１３】
　また
、外
　　　【００１４】
　　【実施例】
　以下、本発明の実施例を添付図面を参照しながら詳細に説明する。
　　　【００１５】
　図１において、１０は野地材等により形成された屋根の下地、１１はその上に水下側から水上側へと部分的に重合するように葺かれた屋根材、１２は各屋根材１１を下地１０上に固定する釘等の固定具を示している。
　　　【００１６】
　屋根材１１は、例えばスレート、石綿セメント板等の板状材料から形成されており、前述したように、水上側の一部が水上方向に隣接する他の屋根材の水下側の一部に重合する態様で葺かれて、重合構造の屋根を構成している。
　　　【００１７】
　１５は前記屋根材１１の上に取り付けられる外設材、１６はこの外設材１５が取り付けられる屋根材１１の裏面に挿入される板状部材、１７は前記外設材１５を屋根上に固定するためのネジ等の固着具を示している。
　　　【００１８】
　外設材１５は、記述したとおり雪止め金具、あるいは太陽熱温水器や太陽電池を屋根上に固定するための支持具であり、例えば前記器具類を支持するための支持部１５ａと屋根材１１上に固定されるフランジ状の固定部１５ｂとからなっている。また、板状部材１６は例えばブチルゴム、ゴム化アスファルト等のシール性を有する材質から形成されている。
　　　【００１９】
　外設材１５を既設屋根上に取り付けるには、まず外設材１５を取り付ける屋根材１１（以下これを「取付部となる屋根材」と称する）の水下側端部とその下層に位置する他の屋根材１１の上面との間に隙間を形成し、図１に矢印Ａで示したように、取付部となる屋根材１１の裏面に板状部材１６を挿入する。この場合、板状部材の流れ方向の寸法は取付部となる屋根材１１とその下層の屋根材１１との重合長さに相当する長さに設定してあるが、必要に応じてこれよりも長く設定してもよい。
　　　【００２０】
　次に、取付部となる屋根材１１の上に外設材１５の固定部１５ｂを載置したうえで、この固定部１５ｂ、取付部となる屋根材１１、板状部材１６、その下層の屋根材１１を貫通して、ネジ等の固着具１７を屋根下地１０に締め付けて、外設材１５を固定する。なお、外設材１５を取付部となる屋根材１１上に固定する際に、両者の間に板状部材１６と同様の材質からなるシール部材を介装するようにしてもよい。このようにして外設材１５を既設屋根に固定した状態は図２の他の実施例にも示されている。
　　　【００２１】
　図２は、上述のようにして固定した外設材１５の固定部１５ｂをカバー部材１８で覆った実施例である。
　　　【００２２】
　カバー部材１８は、樹脂あるいは金属材料からなり、図３に示すように取付部となる屋根材１１の上面に着座するフランジ部１８ａの中央部流れ方向に外設材固定部１５ｂを覆う被覆部１８ｂを突設すると共に、その前縁部には取付部となる屋根材１１の軒側端部の裏面側に回り込むように挿入縁部１８ｃが折曲形成されている。
　　　【００２３】
　このカバー部材１８は、上述のようにして外設材１５を屋根上に固定したのち、フランジ部１８ａの後端を取付部となる屋根材１１とその水上側に隣接する他の屋根材１１との間の隙間に挿入すると共に、挿入縁部１８ｃを取付部となる屋根材１１の水下側端部裏面側に挿入することにより固定する。
　　　【００２４】
　なお、カバー部材１８を屋根材１１上に固定するときに、そのフランジ部１８ａと取付部となる屋根材１１との間にシート状のシール部材を介装するようにしても良い。また、挿入縁部１８ｃを水上側方向に形成するかわりに、水下側方向に延設してこれを水下側に隣接する他の屋根材１１の上面に着座させるようにしてもよい。
　　　【００２５】
　上述した取付構造または取付方法によれば、外設材１５の取付部１５ｂの屋根材裏面にシール性を有する板状部材１６を配したことで、上側に位置する取付部となる屋根材１１の貫通孔と下側の屋根材１１の貫通孔がこれら上下屋根材間で同時に塞がれ、したがって各貫通孔からの室内側への雨水の侵入が確実に防止される。
　　　【００２６】
　また、外設材１５を固定するにあたっては、取付部となる屋根材１１の裏面に板状部材１６を挿入しておくだけであるので、ごく簡単な作業で外設材１５の固定を完了することができる。
　　　【００２７】
　さらに、外設材１５の固定部１５ｂを覆うカバー部材１８を設けた構成によれば、当該固定部１５ｂ及び取付部となる屋根材１１の貫通孔部分での耐水性も向上するので、板状部材１６によるシール性能と併せて防水性はさらに向上する。カバー部材１８と取付部となる屋根材１１との間にもシール材を介装することにより、防水性は最大限に向上することとなる。
　　　【００２８】
　　【発明の効果】
　以上説明したとおり、請求項１の外設材の取付構造の
発明によれば
に、
有し、かつ、上側屋根材と下側屋根材との重合長さに相当する長さ若しくは重合長さよりも長い流れ方向長さの
　　　【００２９】
　また、外設材を固定するにあたっては取付部となる屋根材の裏面に板状部材を挿入するだけであるので、ごく簡単な作業で耐水性に優れた外設材の取付けを行うことができる。
　　　【００３０】
　また、
外
【図面の簡単な説明】
　　【図１】
　本発明に係る外接材の取付構造の第１の実施例の側面断面図。
　　【図２】
　同じく第２の実施例の側面断面図。
　　【図３】
　第２実施例のカバー部材の外観斜視図。
　　【図４】
　従来技術の説明図。
　　【符号の説明】
　１０　屋根の下地
　１１　屋根材
　１５　外設材
　１５ａ　外設材の支持部
　１５ｂ　外設材の固定部
　１６　板状部材
　１７　固着具
　１８　カバー部材